(57)【要約】【課題】本発明はボックス本体の内部温度を低温状態で長時間に渡る保持が可能と為し、生鮮食品を長時間に渡って鮮度が保持でき、魚釣りやレジャー或いは医療等の多方面に渡る利用が出来ると共に、本発明品が室内でも屋外でも場所を選ばずに使用出来る携帯式のクーラーボックスを提供することを目的とする。【解決手段】箱型のボックス本体１と、その上部に設けた中蓋２と、ボックス本体１の内部に連通すると共に中蓋２の底面から突出する逆止弁付き吸引パイプ３と、それに接続すると共に中蓋２に設置させた吸引手段４と、から少なくとも構成し、更に、中蓋２内に立設させると共に逆止弁付き吸引パイプ３外周を包囲した筒体31と、その上部に設けたフタ52と、筒体51の側面から貫通して突出する逆止弁付き接続パイプ53と、から成す排出部分５が中蓋２内に取付けられたものとしても良い。【選択図】図１
2015137136.tif 000002
【特許請求の範囲】
【請求項１】
上部が開口し内部に収納部を有するボックス本体（１）と、該ボックス本体（１）の上部に設けてその内部を密閉可能にするための中蓋（２）と、前記ボックス本体（１）の収納部に連通すると共に前記中蓋（２）の底面から突出する逆止弁付き吸引パイプ（３）と、該逆止弁付き吸引パイプ（３）に接続すると共に前記中蓋（２）に設置して前記ボックス本体（１）の収納部の空気を外部に排出させるための吸引手段（４）と、から少なくとも構成したことを特徴とする携帯式のクーラーボックス。
【請求項２】
上部が開口し内部に収納部を有するボックス本体（１）と、該ボックス本体（１）の上部に設けてその内部を密閉可能にするための中蓋（２）と、前記ボックス本体（１）の収納部に連通すると共に前記中蓋（２）の底面から突出する逆止弁付き吸引パイプ（３）と、該逆止弁付き吸引パイプ（３）に接続すると共に前記中蓋（２）に設置して前記ボックス本体（１）の収納部の空気を外部に排出させるための手動式の吸引手段（４）と、から少なくとも構成し、且つ、前記中蓋（２）内に立設させると共に前記逆止弁付き吸引パイプ（３）外周を包囲した筒体（51）と、該筒体（51）の上部に設けたフタ（52）と、筒体（51）の側面から貫通すると共に筒体（51）から突出する逆止弁付き接続パイプ（53）と、から成す排出部分（５）が前記中蓋（２）内に取付けられたことを特徴とする携帯式のクーラーボックス。
【請求項３】
上部が開口し内部に収納部を有するボックス本体（１）と、該ボックス本体（１）の上部に設けてその内部を密閉可能にするための外蓋（６）と、前記ボックス本体（１）の収納部に連通すると共に前記外蓋（６）から突出する逆止弁付き吸引パイプ（３）と、から少なくとも構成し、使用時に、前記逆止弁付き吸引パイプ（３）に掃除機用ホースを接続させて、前記ボックス本体（１）の収納部の空気を掃除機によって外部に排出させる構成と成したことを特徴とする携帯式のクーラーボックス。
【発明の詳細な説明】
【技術分野】
【０００１】
本発明は魚釣りやレジャー等に用いられる携帯式のクーラーボックスに関する。
【背景技術】
【０００２】
従来の携帯式のクーラーボックスは、内部に収納部を有する合成樹脂製の箱型のボックス本体と、該ボックス本体の上部にヒンジ等によって開閉可能に設けた蓋とを備え、ボックス本体と蓋の内部に発泡スチロールや発泡ポリウレタン等の断熱材が張り巡らされたものである。従って、この携帯式のクーラーボックスは、内部温度は一定に保たれているため、釣り用，レジャー用，災害時の食料の保冷及び保存用等として広く用いられている。
【０００３】
これらの携帯式のクーラーボックスは、該クーラーボックスの内部温度を比較的長時間に渡って保冷出来るように、内部の構成や内部の材料の改良等の提案が多くなされている。又、携帯式のクーラーボックスの内部に空気を供給するものとして、特開平８−１９１６４５号で魚用クーラーボックスが提案されている。これはクーラーボックス内部に水を入れて餌魚或いは釣り上げた魚を育成し続けるために、新鮮な空気をクーラーボックス内に供給するものである。
【０００４】
しかしながら、上記携帯式のクーラーボックスには、本発明のようなクーラーボックス内部の空気を外部に排出して減圧状態にする発想のものはなかった。
【先行技術文献】
【特許文献】
【０００５】
【特許文献１】特開平８−１９１６４５号公報
【発明の概要】
【発明が解決しようとする課題】
【０００６】
本発明はボックス本体の収納部の空気を簡単に外部へ排出することが可能と為し、内部温度を低温状態で長時間に渡る保持が可能となるため、生鮮食品を長時間に渡って鮮度が保持でき、魚釣りやレジャー或いは医療等の多方面に渡る利用が出来る携帯式のクーラーボックスを提供することを目的とする。
【０００７】
本発明の他の目的は、ボックス本体の収納部の空気を外部へ排出する吸引作業が、室内でも屋外でも場所を選ばずに行え、且つ、電動でも手動でも簡単に行える携帯式のクーラーボックスを提供するにある。
【課題を解決するための手段】
【０００８】
本発明は上記現状に鑑み成されたものであり、つまり、上部が開口し内部に収納部を有するボックス本体と、該ボックス本体の上部に設けてその内部を密閉可能にするための中蓋と、ボックス本体の収納部に連通すると共に中蓋の底面から突出する逆止弁付き吸引パイプと、該逆止弁付き吸引パイプに接続すると共に中蓋に設置してボックス本体の収納部の空気を外部に排出させるための吸引手段と、から少なくとも構成する。
又、前記箱型のボックス本体と、その上部に設けた前記中蓋と、前記逆止弁付き吸引パイプと、手動式の前記吸引手段と、から少なくとも構成し、更に、中蓋内に立設させると共に逆止弁付き吸引パイプ外周を包囲した筒体と、該筒体の上部に設けたフタと、筒体に貫通すると共に筒体の側面から突出する逆止弁付き接続パイプと、から成す排出部分が中蓋内に取付けられたものとするのが好ましい。
更に、前記ボックス本体と、該ボックス本体の上部に設けてその内部を密閉可能にするための外蓋と、ボックス本体の収納部に連通すると共に外蓋から突出する逆止弁付き吸引パイプと、から少なくとも構成し、使用時に、逆止弁付き吸引パイプに掃除機用ホースを接続させて、ボックス本体の収納部の空気を掃除機によって外部に排出させる構成としても良い。
【発明の効果】
【０００９】
請求項１のように上部が開口し内部に収納部を有するボックス本体（１）と、該ボックス本体（１）の上部に設けてその内部を密閉可能にするための中蓋（２）と、ボックス本体（１）の収納部に連通すると共に中蓋（２）の底面から突出する逆止弁付き吸引パイプ（３）と、該逆止弁付き吸引パイプ（３）に接続すると共に中蓋（２）に設置してボックス本体（１）の収納部の空気を外部に排出させるための吸引手段（４）と、から少なくとも構成することにより、ボックス本体（１）内部の空気を希薄にさせて減圧状態にすることが出来るため、雑菌等の繁殖が抑制され、且つ、クーラーボックスの内部温度の上昇が抑えられて生鮮食品の長時間に渡る保冷が可能となる。このため、天災時に生鮮食品を長期に渡って保存できるものとなる。また医療用として使用すれば、臓器を収納して輸送する際、従来よりも遥かに長時間に渡って低温状態で保存できるものとなるため、臓器の劣化や悪化などが防止でき、提供臓器を有効に活用できるものとなる。
【００１０】
請求項２のように上部が開口し内部に収納部を有するボックス本体（１）と、該ボックス本体（１）の上部に設けてその内部を密閉可能にするための中蓋（２）と、ボックス本体（１）の収納部に連通すると共に中蓋（２）の底面から突出する逆止弁付き吸引パイプ（３）と、該逆止弁付き吸引パイプ（３）に接続すると共に中蓋（２）に設置してボックス本体（１）の収納部の空気を外部に排出させるための手動式の吸引手段（４）と、から少なくとも構成し、且つ、中蓋（２）内に立設させると共に逆止弁付き吸引パイプ（３）外周を包囲した筒体（51）と、該筒体（51）の上部に設けたフタ（52）と、筒体（51）の側面に貫通すると共に筒体（51）から突出する逆止弁付き接続パイプ（53）と、から成す排出部分（５）が中蓋（２）内に取付けられることにより、請求項１と同様の効果が得られ、且つ、ボックス本体（１）の内部を減圧状態にする際に、掃除機を利用することができると共に手動で空気を外部へ排出させる吸引作業が行えるため、本発明品は室内でも屋外でも場所を選ばずに使用出来るものとなる。
【００１１】
請求項３に示すように上部が開口し内部に収納部を有するボックス本体（１）と、該ボックス本体（１）の上部に設けてその内部を密閉可能にするための外蓋（６）と、ボックス本体（１）の収納部に連通すると共に外蓋（６）から突出する逆止弁付き吸引パイプ（３）と、から少なくとも構成し、使用時に、逆止弁付き吸引パイプ（３）に掃除機用ホースを接続させて、ボックス本体（１）の収納部の空気を掃除機によって外部に排出させる構成とすることにより、本発明品はボックス本体（１）の収納部の空気を極めて簡単で且つ短時間に外部へ排出することが可能となり、内部温度を低温状態で長時間に渡る保持が可能となるため、生鮮食品の鮮度が長時間に渡って保持でき、魚釣りやレジャー或いは医療等の多方面に渡る利用が出来るものとなる。
【図面の簡単な説明】
【００１２】
【図１】本発明の実施形態の要部を示す説明図である。
【図２】図1に於ける外蓋とフタを外した時の平面を示す説明図である。
【図３】本実施形態の吸引手段が手動式である場合の主要構成を示す説明図である。
【図４】本実施形態の手動式の吸引手段を示す斜視図である。
【図５】本実施形態の吸引手段が掃除機である場合の主要構成を示す説明図である。
【図６】本発明品と従来品のボックス内部温度の変化を示すグラフである。
【発明を実施するための形態】
【００１３】
本発明の実施形態を図１、図２に基づいて説明する。（１）は上部が開口し内部が収納部を成す箱型のボックス本体であり、該ボックス本体（１）の上部には段部が設けられている。また前記ボックス本体（１）の外部には補強用の頑強な外枠（11）が形成されており、その材料として、木製，硬質な合成樹脂製，金属製等で形成し、前記ボックス本体（１）の内部には発泡スチロールや発泡ポリウレタン等の断熱性の優れた断熱材（12）が張り巡らされている。尚、前記ボックス本体（１）に市販品を用いても良い。またボックス本体（１）の段部にパッキン等を設けて、ボックス本体（１）に後述する中蓋（２）がより密接するようにさせることが好ましい。
【００１４】
（２）はボックス本体（１）の上部に設けてその内部を密閉可能にするための中蓋であり、該中蓋（２）はボックス本体（１）と同様に外部に補強用の外枠（21）が形成され、前記ボックス本体（１）内部に発泡スチロールや発泡ポリウレタン等の断熱材（22）が張り巡らされている。
（３）はボックス本体（１）の収納部に連通すると共に中蓋（２）の底面から突出する逆止弁付き吸引パイプであり、該逆止弁付き吸引パイプ（３）の外周には、図中に示す２点鎖線のような掃除機用ホース或いはクリーナー用ホース等が接続出来るようにアジャスト部材（31）が装着されている。このアジャスト部材（31）としては、スポンジやゴム等のように伸縮可能な材料を用いる。
【００１５】
（４）は中蓋（２）に設置してボックス本体（１）の収納部の空気を外部に排出させるための吸引手段であり、該吸引手段（４）は図中に示す如く手動式であるが、電動式のポンプを用いても良い。前記手動式の吸引手段（４）としては、例えば図４に示すような構造のものを用いると良い。この構造は、加圧（吸引）部材であるピストン（41）及びシリンダー（42）と、複数の加圧部材を並設させると共に中蓋（２）に固着する枠体（43）と、各加圧部材に連通する吸引（吸気）用チューブ（44）及び排出（排気）用チューブ（45）と、作動杆（46）とから少なくとも成されている。また前記ピストン（41）の先端側には排出用チューブ（45）が取付けられており、前記シリンダー（42）の後端側には吸引用チューブ（44）が取付けられている。又、吸引用チューブ（44）はボックス本体（１）の収納部と連通させ、排出用チューブ（45）の先端は、後述する逆止弁付き接続パイプ（53）と接続させて連通している。上記以外の部品には、作動杆（46）を軸支する軸と、ピストン（41）を連結する軸と、作動杆（46）が元の位置に戻すためのスプリング及びそれを支持する軸と、シリンダー（42）の後端を軸支する軸、更には枠体（43）を固定する固定部材などがある。尚、図中の手動式の吸引手段（４）は、足踏み式の空気入れを手動式に改良し且つ性能アップさせたものを示すが、これに限定されるものではない。
【００１６】
（５）は中蓋（２）内に取付けられた排出部分であり、該排出部分（５）には、中蓋（２）内に立設させると共に逆止弁付き吸引パイプ（３）の外周を包囲した筒体（51）と、該筒体（51）の上部に設けたフタ（52）と、筒体（51）の側面に貫通すると共に筒体（51）から突出する逆止弁付き接続パイプ（53）とがある。この逆止弁付き接続パイプ（53）には、排出用チューブ（45）の先端を挿入して接続させておく。前記排出部分（５）は必ずしも設ける必要がないが、これを設けることより、空気の逆流が完全に防止可能となり、雑菌類がボックス本体（１）の内部に侵入する恐れをなくすことが可能となるため、医療用に適したものとなる。
【００１７】
（６）は中蓋（２）の上部に設けてその内部を密閉可能にするための外蓋であり、該外蓋（６）は、ボックス本体（１）や中蓋（２）と同様に外部に補強用の外枠（61）を形成し、その内側に発泡スチロールや発泡ポリウレタン等の断熱材（62）を張り巡らせ、且つ、ボックス本体（１）や中蓋（２）と同様の材質のものを用いる。前記外蓋（６）を用いることにより、断熱効果が向上するため、真夏の昼にボックス本体（１）を屋外に放置させても、ボックス本体（１）の収納部は、長時間に渡って保冷状態が保持可能となる。尚、前記外蓋（６）が中蓋（２）の上部を被覆するだけで良い場合は、ヒンジを介して中蓋（２）に対して開閉自在に取付けたものとしても良い。
（７）はボックス本体（１）の収納部の適宜位置或いは中蓋（２）の裏面などに検知部を配置する温度センサーであり、これは市販されているもので、検知部と表示部（71）が分かれているものを用いる。前記表示部（71）は外から見える位置に設けておくのが好ましい。尚、図示しない減圧計も設けておくと良い。
【００１８】
図５は本実施形態の吸引手段として電気掃除機だけを用いる場合の図であり、これは前記実施形態と比べ、外蓋（６）は中蓋（２）の位置に配置され、逆止弁付き吸引パイプ（３）が外蓋（６）に図中のように取付けられている。又、ボックス本体（１）は同一で、中蓋（２）と排出部分（５）は不要である。他の部品は同じである。尚、吸引手段（４）の電気掃除機は具備せずに、別に用意すれば良い。
【００１９】
次に本発明品の使用方法について説明する。予めボックス本体（１）の収納部に氷を適宜量入れ、且つ、生鮮食品や生鮮物などを入れて中蓋（２）をして密閉状態にしておく。この時、ボックス本体（１）と中蓋（２）の間にパッキンを取付けておくと良い。次にボックス本体（１）の収納部の空気を外部に排出させて減圧状態にする。この減圧させる場合は、手動式と掃除機によるものとの２通りで行われる。先ず始めに手動式で減圧させる場合について説明する。この場合は、掃除機が身近にない時、つまり、屋外や野外で減圧させる場合である。
先ず作動杆（46）を、ピストン（41）が往復運動するようにセットする。尚、持ち運びする際にはレバー部分が突出しないように、図１に示すように倒されている。このため、図３の図中に示す杆の黒丸位置にピンやボルトなどを挿入してレバー部分と杆とを接続してセットするのである。セット後、レバー部分が図３のように起立するので、それを手で押し、図中の２点鎖線の位置まで倒し、倒れた後は手を離せば、バネの力によって自然に元の位置までレバー部分が戻される。この運動を矢印のように繰返すことにより、ピストン（41）は往復運動し、空気を高圧にしてシリンダー（42）に貯め込むと共に高圧になった空気が排出用チューブ（45）から点線矢印のように逆止弁付き接続パイプ（53）を通過させて排出部分(５)を通過し、外部へ排出（排気）されるのである。この時にはフタ（52）を外しておく。排出を続行すると、ボックス本体（１）の空気が図中の矢印のように吸引用チューブ（44）から吸引されながら排出すると、内部が徐々に減圧されるため、ボックス本体（１）或いは中蓋（２）の外部が若干凹むので、凹み始めた時点で作動杆（46）の操作を止める。この時、凹みで判断するだけでなく、きしむ音が生じた時点で作動杆（46）の操作を止めるようにしても良い。また図示しない減圧計（圧力計）が取付けられている場合には、その目盛を見ながら操作を止めると良い。
その後、筒体（51）の上部にフタ（52）を取付ける。更に外蓋（６）を中蓋（２）の上部に取付ければ減圧させる作業が終了する。
【００２０】
次に掃除機を使用して減圧させる場合を図５で説明する。先ず掃除機用ホース或いはクリーニング用ホースを、中蓋（２）の底面から突出する逆止弁付き吸引パイプ（３）に挿入させる。この時、逆止弁付き吸引パイプ（３）の外周にアジャスト部材（31）が装着されているので、掃除機用ホース或いはクリーニング用ホースと逆止弁付き吸引パイプ（３）はアジャスト部材（31）によって密接した状態で接続される。その後、掃除機のスイッチを入れて作動させると、ボックス本体（１）内部の空気が吸引されて外部へ排出されるのである。この状態を続行すると、ボックス本体（１）内部が減圧されて、ボックス本体（１）或いは中蓋（２）の外部が若干凹むので、凹み始めた時点又はきしむ音が生じた時点で掃除機を停止させる。これで減圧させる作業が終了する。この場合は、２〜３分前後で減圧状態が得られる。この減圧状態で家や所定の場所まで運搬すれば良い。尚、図１、図３に示す構成のものを用い、掃除機で減圧させる場合は、上記同様に掃除機用ホース或いはクリーニング用ホースを、中蓋（２）の底面から突出する逆止弁付き吸引パイプ（３）に挿入させる。そして掃除機のスイッチを入れて作動させると、ボックス本体（１）内部の空気を吸引し、ボックス本体（１）内部が減圧された後、上記同様に掃除機を停止する。そして、筒体（51）の上部にフタ（52）を取付け、更に外蓋（６）を中蓋（２）の上部に取付ければ減圧作業が終了する。
【００２１】
次に本発明品による生鮮食品の鮮度保持が長時間可能となる確認実験について説明する。実験条件としては、一般のクーラーボックスで収納容量４０リットルのものを使用し、且つ、内部の空気吸引可能に改造したものを本発明品として用いた。このボックス本体（１）の中に約半分氷を入れ、且つ、鶏肉を約２００グラム用意し、それを５つに切って入れると共に炭酸飲料水を２本入れて実験した。又、この時、ボックス本体（１）の収納部の空気を吸引手段（４）によって外部に排出させた際の空気の排出具合としては、ボックス本体（１）と蓋体で密閉した後、ボックス本体（１）或いは蓋体が凹み、異音が発生した時点で空気の排出を終了して実験を開始した。
【００２２】
この実験内容としては、先ず、ボックス本体（１）を１日目は室内（約２０℃）に置き、２日目と３日目は屋外（最高温度約３０℃）に置き、４日目は室内に置き、５日目に開いて中身を確認すると、氷が約１割前後残っており、鶏肉には、色の変化が殆どなく且つ腐敗臭もないものであり、これを食してみたが味の低下はなかった。また炭酸飲料水を飲んでみたが冷えた状態で美味しいものであった。
尚、ボックス本体（１）に温度センサー（７）や減圧計が配置されていない状態で実験したため、詳細なデーターは採取できなかったが、生鮮食品の鮮度保持が長時間可能なことが確認できた。一方、従来のクーラーボックスを使用した際の生鮮食品の鮮度保持は、一般的に半日が限度であり、クーラーボックス内の氷は２〜３時間で溶けてしまうのが現状である。
【００２３】
次にボックス本体（１）の収納部の冷温保持が長時間に渡って可能となる確認実験について説明する。実験条件としては、図１に示すようなボックス本体（１）の収納部の中に約半分氷を入れ、３６時間後に開き、内部温度を測定すると共に収納部の中に残っている氷の状態を観察した。尚、従来品のボックス本体（１）の収納部の中にも約半分氷を入れ、氷の溶け具合と内部温度も並行して測定した。
【００２４】
結果としては、温度と時間の関係が図６のようなグラフとなった。つまり、本発明品は、従来品と同様に始めは、５℃に内部温度が下がるまでに略５分を要し、その後、５℃を保持しながら氷が溶け始める。この時、５℃を保持している正確な時間は確認できなかったが、１２時間を経過した後から氷が少しずつ溶けると共に、温度も少しずつ上昇し、３６時間後で７℃になった。収納部の中に残っている氷の量としては、約７〜８割の氷がまだ残っていた。このため、従来品よりも１０倍以上の保冷保持時間が確認出来たので、３６時間で実験の継続を中止した。
一方、従来品の場合は、５℃を約３時間保持した後、氷が溶けてなくなると、徐々に温度が上昇し、約６時間で１７℃（略室温）になった。この結果、従来品に於いては生鮮食品の保冷保持時間としては４時間前後であった。
【００２５】
このように生鮮食品を本発明品に入れて収納しておけば、従来よりも鮮度保持や保冷保持が長時間に渡って可能なものとなる。この結果、本発明品は単にレジャー用に使用するだけでなく、例えば、災害による長時間の停電時に、冷蔵庫の代りに生鮮食品を収納すれば、保冷保存が可能となり、又、医療或いは他の方面にも利用が可能なものとなるため、汎用性が広がるものとなる。
【符号の説明】
【００２６】
１  ボックス本体
２  中蓋
３  逆止弁付き吸引パイプ
４  吸引手段
５  排出部分
51  筒体
52  フタ
53  逆止弁付き接続パイプ
６  外蓋
【図４】
2015137136.tif 000003
【図６】
2015137136.tif 000004
【図１】
2015137136.tif 000005
【図２】
2015137136.tif 000006
【図３】
2015137136.tif 000007
【図５】
2015137136.tif 000008